【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
第１の衛星と第１の衛星ゲートウェイとの間のフィーダリンクを提供する方法であって、
前記第１の衛星ゲートウェイと第２の衛星との間の通信リンクを確立するステップと、
前記第１の衛星と前記第２の衛星との間の衛星間通信リンクを確立するステップと、
前記衛星間通信リンクと前記通信リンクとを介して、前記第１の衛星と前記第１の衛星ゲートウェイとの間でフィーダリンク情報を通信するステップと、
を含み、
前記第１の衛星ゲートウェイと前記第２の衛星との間の通信リンクを確立するステップは、前記第１の衛星ゲートウェイと第２の衛星ゲートウェイとの間のゲートウェイ間通信リンクを確立するステップと、前記第２の衛星ゲートウェイと前記第２の衛星との間の衛星通信リンクを確立するステップと、
を含む方法。
【請求項２】
前記衛星ゲートウェイと前記第２の衛星との間の前記通信リンクを確立するステップは、フィーダリンク周波数帯域の周波数を用いるステップを含む請求項１に記載の方法。
【請求項３】
前記フィーダリンク周波数帯域の周波数を用いるステップは、Ｋｕ帯域の周波数を用いるステップを含む請求項２に記載の方法。
【請求項４】
前記第１の衛星と前記第２の衛星との間の衛星間通信リンクを確立するステップは、光通信リンク、赤外線通信リンク、紫外線通信リンク、及び／又は無線周波数（ＲＦ）通信リンクを前記第１の衛星と前記第２の衛星との間に確立するステップを含む請求項１に記載の方法。
【請求項５】
前記第１の衛星と前記第２の衛星との間の衛星間通信リンクを確立するステップは、前記第１の衛星と第３の衛星との間の第１の衛星間通信リンクを確立するステップと、前記第３の衛星と前記第２の衛星との間の第２の衛星間通信リンクを確立するステップとを含む、請求項１に記載の方法。
【請求項６】
前記ゲートウェイ間通信リンクを確立するステップは、前記第１の衛星ゲートウェイと第３の衛星ゲートウェイとの間の第１のゲートウェイ間通信リンクを確立するステップと、前記第３の衛星ゲートウェイと前記第２の衛星ゲートウェイとの間の第２のゲートウェイ間通信リンクを確立するステップと、を含む請求項１に記載の方法。
【請求項７】
フィーダリンクデータストリームを提供するステップと、
前記フィーダリンクデータストリームを、複数のパケットに分割するステップと、
前記複数のパケットのうちの少なくとも１つの第１のパケットを、前記第２の衛星を介して、前記第１の衛星と前記第１の衛星ゲートウェイとの間に経路付けるステップと、
を更に含む請求項１に記載の方法。
【請求項８】
前記複数のパケットのうちの少なくとも１つの第２のパケットを、前記複数のパケットのうちの少なくとも１つの第１のパケットを経路付けるために使用される経路とは別の経路を介して、前記第１の衛星と前記第１の衛星ゲートウェイとの間に経路付けるステップを更に含む請求項７に記載の方法。
【請求項９】
衛星周波数帯域の周波数を使用して衛星電波到達範囲の無線端末に情報を送信するように前記第１の衛星を構成するステップと、
衛星周波数帯域の少なくとも１つの周波数を使用して前記衛星電波到達範囲に位置された無線端末に情報を送信するように前記前記衛星電波到達範囲に位置された補助陸上コンポーネントを構成するステップと、
を更に含む請求項１に記載の方法。
【請求項１０】
前記フィーダリンクを介して前記第１の衛星で受信されるデータを前記少なくとも１つの無線端末へ送信するステップを含む請求項９に記載の方法。
【請求項１１】
前記第１の衛星で前記少なくとも１つの無線端末からデータを受信するステップと、
前記データを、前記フィーダリンクを介して前記第１の衛星ゲートウェイへ送信するステップと、
を更に含む請求項１０に記載の方法。
【請求項１２】
第１の衛星と衛星ゲートウェイとの間のフィーダリンクを提供する方法であって、
少なくとも１つの第２の衛星を経由して、前記第１の衛星と前記衛星ゲートウェイとの間で通信するステップと、
フィーダリンクデータストリームを提供するステップと、
前記フィーダリンクデータストリームを、複数のパケットに分割するステップと、
前記複数のパケットのうちの少なくとも１つの第１のパケットを、前記少なくとも１つの第２の衛星を介して、前記第１の衛星と前記衛星ゲートウェイとの間に経路付けるステップと、
前記複数のパケットのうちの少なくとも１つの第２のパケットを、前記複数のパケットのうちの少なくとも１つの第１のパケットを経路付けるために使用される経路とは別の経路を介して、前記第１の衛星と前記衛星ゲートウェイとの間に経路付けるステップと、
を含む方法。
【請求項１３】
少なくとも１つの第２の衛星を経由して、前記第１の衛星と前記衛星ゲートウェイとの間で通信するステップは、前記衛星ゲートウェイと前記少なくとも１つの第２の衛星との間の直接的なフィーダリンクを確立するステップを含む請求項１２に記載の方法。
【請求項１４】
前記衛星ゲートウェイと前記少なくとも１つの第２の衛星との間の直接的なフィーダリンクを確立するステップは、フィーダリンク周波数帯域の周波数を用いて直接的なフィーダリンクを確立するステップを含む請求項１３に記載の方法。
【請求項１５】
前記フィーダリンク周波数帯域の周波数を用いるステップは、Ｋｕ帯域の周波数を用いるステップを含む請求項１４に記載の方法。
【請求項１６】
前記第１の衛星と前記衛星ゲートウェイとの間で通信するステップは、前記衛星ゲートウェイと１つの第２の衛星ゲートウェイとの間の通信リンクを確立するステップを含む請求項１３に記載の方法。
【請求項１７】
前記１つの第２の衛星ゲートウェイと、前記少なくとも１つの第２の衛星との間の直接的なフィーダリンクを確立するステップを更に含む請求項１６に記載の方法。
【請求項１８】
前記衛星ゲートウェイと前記１つの第２の衛星ゲートウェイとの間の前記通信リンクは、陸上通信リンクを含む請求項１７に記載の方法。
【請求項１９】
それぞれの間に衛星間通信リンクを確立するように構成された第１の衛星及び第２の衛星と、
前記第１の衛星と前記第２の衛星とのうちの一方との直接的なフィーダリンクを確立し、かつ、前記衛星間通信リンクと前記直接的なフィーダリンクとを用いて、前記第１の衛星と前記第２の衛星とのうちの他方との第１の間接的なフィーダリンクを確立するように構成された第１の衛星ゲートウェイと、
前記第１の衛星ゲートウェイとのゲートウェイ間通信リンクを確立し、かつ、前記衛星間通信リンク、前記直接的なフィーダリンク、及び前記ゲートウェイ間通信リンクを用いて、前記第１の衛星と前記第２の衛星とのうちの他方との第２の間接的なフィーダリンクを確立するように構成された第２の衛星ゲートウェイと、
を備える衛星通信システム。
【請求項２０】
仲介衛星ゲートウェイを更に備え、前記第１の衛星ゲートウェイと前記第２の衛星ゲートウェイとの間の前記ゲートウェイ間通信リンクは、前記第１の衛星ゲートウェイと前記仲介衛星ゲートウェイとの間の第１の仲介ゲートウェイ間通信リンクと、前記仲介衛星ゲートウェイと前記第２の衛星ゲートウェイとの間の第２の仲介ゲートウェイ間通信リンクと、を備える請求項１９に記載のシステム。
【請求項２１】
前記衛星間通信リンクは、光通信リンク、赤外線通信リンク、紫外線通信リンク、及び／又は無線周波数（ＲＦ）通信リンクを備える請求項１９に記載のシステム。
【請求項２２】
仲介衛星を更に備え、前記第１の衛星と前記第２の衛星との間の衛星間通信リンクは、前記第１の衛星と前記仲介衛星との間の第１の仲介衛星間通信リンクと、前記仲介衛星と前記第２の衛星との間の第２の仲介衛星間通信リンクと、を備える請求項１９に記載のシステム。
【請求項２３】
前記直接的なフィーダリンク、前記第１の間接的なフィーダリンク及び／又は前記第２の間接的なフィーダリンクは、Ｋｕ帯域の周波数を用いるように構成される請求項１９に記載のシステム。
【請求項２４】
前記第１の衛星又は前記第２の衛星の電波到達範囲内の少なくとも１つの補助陸上コンポーネント（ＡＴＣ）と、それと共に通信する少なくとも１つのＡＴＣ端末と、を更に備え、
前記第１の衛星及び前記第２の衛星の内の少なくとも一方が、前記衛星周波数帯域の周波数を用いて少なくとも１つの衛星端末との通信を確立するように構成され、
前記ＡＴＣが、前記衛星周波数帯域の周波数を用いて少なくとも１つのＡＴＣ端末との通信を確立するように構成されている、
請求項１９に記載のシステム。